(57)【要約】【目的】サービスの提供開始時にまたは購入要求の受付時に利用者からパスワード等の入力をしてもらうことなしに本人確認ができるようにする。【構成】この店舗装置はクライアント・コンピュータに商品画像を送信する送信装置と、クライアント・コンピュータからの商品購入のコマンドを受信する受信装置と、このコマンドに基づいて商品販売の事務処理を行なう処理装置とから成り、前記処理装置はクライアント・コンピュータに固有に割り振られた装置番号を用いて認証処理を行なうものである。また商品画像の変形加工処理や合成加工処理をクライアント・コンピュータの側で行なうものである。【選択図】      図１
2004302910.tif 000002
【特許請求の範囲】
【請求項１】
クライアント・コンピュータに商品画像を送信する送信装置と、クライアント・コンピュータからの商品購入のコマンドを受信する受信装置と、このコマンドに基づいて商品販売の事務処理を行なう処理装置とから成り、前記処理装置はクライアント・コンピュータに固有に割り振られた装置番号を用いて認証処理を行なうことを特徴とする、コンピュータで仮想的なショッピングを実現する店舗装置。
【請求項２】
前記装置番号が、ＭＡＣ（Ｍｅｄｉａ  Ａｃｃｅｓｓ  Ｃｏｎｔｒｏｌ）アドレス等の固有ＩＤ番号である、請求項１に記載のコンピュータで仮想的なショッピングを実現する店舗装置。
【請求項３】
前記装置番号が、無線通信を利用したデータ通信機能を備えた携帯端末の電話番号である、請求項１に記載のコンピュータで仮想的なショッピングを実現する店舗装置。
【請求項４】
前記商品販売の事務処理を行う処理装置は、このデータ通信端末の電話番号を商品販売の事務処理中の課金処理に使用する、請求項３に記載のコンピュータで仮想的なショッピングを実現する店舗装置。
【請求項５】
利用者の身体所要箇所の実測値を記録した記憶装置を備え、前記処理装置はこの実測値を記憶装置から読み出し、この実測値に基づいて商品画像の変形加工処理を行なう、請求項１に記載のコンピュータで仮想的なショッピングを実現する店舗装置。
【請求項６】
頭部画像を記録した記憶装置を備え、前記処理装置はこの頭部画像を記憶装置から読み出し、この頭部画像を商品画像の頭部に合成する合成加工処理を行なう、請求項１に記載のコンピュータで仮想的なショッピングを実現する店舗装置。
【請求項７】
前記頭部画像が利用者本人に付いてのものである、請求項６に記載のコンピュータで仮想的なショッピングを実現する店舗装置。
【請求項８】
前記クライアント・コンピュータが携帯型のデータ通信端末であり、このデータ通信端末の記憶装置は利用者の身体所要箇所の実測値を記録しており、このデータ通信端末の処理装置はこの実測値を記憶装置から読み出しこの実測値に基づいて前記店舗装置から送信されて来た商品画像の変形加工処理を行なうものである、画像合成システム。
【請求項９】
前記クライアント・コンピュータが携帯型のデータ通信端末であり、このデータ通信端末の記憶装置は頭部画像を記録しており、このデータ通信端末の処理装置はこの頭部画像を記憶装置から読み出して、この頭部画像を前記店舗装置から送信されて来た商品画像の頭部に合成する合成加工処理を行なうものである、画像合成システム。
【請求項１０】
前記頭部画像が利用者本人に付いてのものである、請求項９に記載の画像合成システム。
【発明の詳細な説明】
【０００１】
【発明の属する技術分野】
この発明は、コンピュータで仮想的なショッピングを実現する店舗装置およびこの店舗装置を含む画像合成システムに係り、特に個人認証の煩わしさから利用者を開放したものに関する。
【０００２】
【従来の技術】
近年、仮想的な店舗となるサーバ・コンピュータと利用者側のクライアント・コンピュータとを用いて行なう、インターネット上の仮想的なショッピングすなわちオンライン・ショッピングが盛んになって来ている。サーバ・コンピュータはクライアント・コンピュータからの要求によってクライアント・コンピュータへ電子カタログを提示し、クライアント・コンピュータからの商品指示と購入要求とを受け付けて商品販売の事務処理を行なう。
【０００３】
上述したような仮想的な店舗でショッピングのサービスを提供するに当たっては、このサービスの提供開始時にまたは購入要求の受付時に利用者の本人確認を行なう必要がある。一般的には住所、氏名、電話番号、パスワード等を受け付けてＩＤ（Ｉｄｅｎｔｉｆｉｅｒ）を発行し、利用者にはこのＩＤとパスワードとを入力してもらって本人確認を行なっている。またあるサービスでは、一度受け付けた氏名等の情報を二度目からは入力してもらわなくてもＩＤとパスワードだけで認証することが行なわれている。
【０００４】
【発明が解決しようとする課題】
しかしながらパスワードなどの秘匿コードは他人に解読されないような文字列を用いなくてはならないため、利用者にとってはこれを頭で記憶しておくことに困難を感じる場合がある。またサービスへのログオン時にまたは購入要求の送信時にパスワード等を一々キーボードから入力しなくてはならないと言う煩わしさがある。特にコンピュータの初心者にはそのように感じられる傾向が強い。
【０００５】
更に問題なのは、せっかくの購入意欲がパスワード等の入力が煩わしいばかりに萎えて購入を中止してしまうことである。これは店舗側からすると大きな機会損失と成る。
【０００６】
従ってこの発明では、上述したような問題を解決して、サービスの提供開始時にまたは購入要求の受付時に、利用者からパスワード等の入力をしてもらうことなしに本人確認を行い得るようにすることを課題とする。
【０００７】
【課題を解決するための手段及び作用】
そこでこの発明はクライアント・コンピュータに記憶装置から読み出した商品画像を送信する送信装置と、クライアント・コンピュータからの商品購入のコマンドを受信する受信装置と、このコマンドに基づいて商品販売の事務処理を行なう処理装置とから成り、前記処理装置はクライアント・コンピュータに固有に割り振られた装置番号を用いて認証処理を行なうことを特徴とする、コンピュータで仮想的なショッピングを実現する店舗装置とすることにより上記課題を解決する。
【０００８】
クライアント・コンピュータに固有に割り振られた装置番号とは主としてＧＵＩＤ（Ｇｌｏｂａｌ  Ｕｎｉｑｕｅ  Ｉｄｅｎｔｉｆｉｅｒ）のことであり、全世界を通して同一の値を持つアイテムが存在せず、一のアイテムに付いて一意に割り振られる識別子のことを言う。従って例えばクライアント・コンピュータがパーソナルコンピュータであってＥｔｈｅｒｎｅｔ（登録商標である）カードが装着されているのであれば、このＥｔｈｅｒｎｅｔ（登録商標である）カードに割り振られているＭＡＣ（Ｍｅｄｉａ  Ａｃｃｅｓｓ  Ｃｏｎｔｒｏｌ）アドレスや、オペレーティングシステムのＷｉｎｄｏｗｓ（登録商標である）で用いられているオブジェクトのクラスＩＤが利用可能である。同様に例えばクライアント・コンピュータが携帯通信端末、特にいわゆる携帯電話機であればこの電話番号や装置番号が利用できる。最近の携帯電話機はＨＴＭＬ（Ｈｙｐｅｒ  Ｔｅｘｔ  Ｍａｒｋｕｐ  Ｌａｎｇｕａｇｅ）文書を解釈できるいわゆるブラウザフォン（Ｂｒｏｗｓｅｒ  Ｐｈｏｎｅ）であるから、このようなクライアント・コンピュータに仮想的なショッピング・サービスを提供することが可能である。同様にＬモード（登録商標である）端末に対してもこの固有の電話番号や装置番号等が利用できる。
【０００９】
この発明の店舗装置はインターネットなどのネットワーク・インフラを介してクライアント・コンピュータと通信を行なう。クライアント・コンピュータからのサービスに対する接続要求を受け付けたら記憶装置から商品画像を読み出し、この商品画像を送信装置を介してクライアント・コンピュータへ送信する。次いでクライアント・コンピュータからの商品購入のコマンドを受信装置で受信したら、処理装置によって所要の事務処理を行なう。
【００１０】
そこで例えばクライアント・コンピュータがパーソナルコンピュータであってＥｔｈｅｒｎｅｔ（登録商標である）カードが装着されているのであれば、これに割り振られているＭＡＣ（Ｍｅｄｉａ  Ａｃｃｅｓｓ  Ｃｏｎｔｒｏｌ）アドレスを本人確認に用いるのである。仮にこのコンピュータに複数の利用者が存在する場合には、例えばＷＷＷ（Ｗｏｒｌｄ  Ｗｉｄｅ  Ｗｅｂ）ブラウザから取得した電子メールアドレスを併用するなどすれば良く、利用者はこの何れの番号をも一々キーボードから入力しなくて済み、利用者に対して円滑なるサービス進行を提供することができるのである。また例えばクライアント・コンピュータがブラウザフォンである場合は、この電話番号は接続時に分かっているからこれを一意の装置番号として利用することができ、パスワード等の入力を利用者に求める必要がない。
【００１１】
次に、前記商品販売の事務処理を行う処理装置は、このデータ通信端末の電話番号を商品販売の事務処理中の課金処理に使用するものとした。
【００１２】
上述したようにクライアント・コンピュータがブラウザフォン等のデータ通信端末であって、電話のネットワークを介して接続して来るものである場合には、この電話番号を本人確認に用いていわゆる電話料と共に商品購入代金を請求回収する課金処理を行なうことが可能である。この構成によれば、利用者は商品購入代金を支払うためにクレジット・カードなどの他の決済手段を用いる必要がなくなるため、請求を一つにまとめることができ、クレジット・カードの暗証番号が漏れるなどのトラブルも生じない。
【００１３】
次に、利用者の身体所要箇所の実測値を記録した記憶装置を備え、前記処理装置はこの実測値を記憶装置から読み出し、この実測値に基づいて商品画像の変形加工処理を行なうものとした。変形加工処理に必要な実測値は利用者側から入手するものである。
【００１４】
利用者の身体所要箇所の実測値（スリーサイズ、首回りのサイズ、袖丈等々）を、セッションの都度受信装置によって受信したり予め登録しておくなどして、記憶装置に書き込んでおく。そして利用者によって商品画像（この場合は衣料品など）が選択されたら、前記処理装置は前記実測値を記憶装置から読み出して、この実測値に基づいて商品画像を変形加工し、送信装置を通じてクライアント・コンピュータへ送信する。従って利用者には恰かもあつらえたかのように自己の身体サイズに合った商品画像を見せることができるのである。
【００１５】
次に、頭部画像を記録した記憶装置を備え、前記処理装置はこの頭部画像を記憶装置から読み出し、この頭部画像を商品画像の頭部に合成する合成加工処理を行なうものとした。なお前記頭部画像を利用者本人に付いてのものとすることができる。前記実測値と同様、合成加工処理に必要な頭部画像は利用者側から入手するものである。
【００１６】
頭部画像とは顔面を含むがどちらかと言うと顔面が主体であり、頭頂部は例えばカツラや帽子などによっても印象を変えることができるためこちらは従属体であると考えてよい。このような頭部画像をセッションの都度受信装置により受信したり予め登録しておくなどして、記憶装置に書き込んでおく。そして利用者によって商品画像（この場合も衣料品など）が選択されたら、前記処理装置は前記頭部画像を記憶装置から読み出して商品画像に合成し、送信装置を通じてクライアント・コンピュータへ送信する。従って利用者に対してはこの合成画像を提供することによって、恰かも頭部画像の主がこの商品を着用している姿を見ているような感覚を与えることができる。
【００１７】
なお頭部画像には有名人の画像や、親兄弟や友人の画像などが利用できるが、特に本人の画像を登録させた場合には、この合成画像によって利用者がこの商品を着用した姿を見ているような感覚を利用者に与えることができる。また向きの異なる複数の頭部画像を登録するようにしたり、３Ｄ（３次元）画像を生成するようにしてもよい。またこの頭部画像から髪型や化粧を変更して合成するようなことも可能である。
【００１８】
なお前記処理装置は、前記実測値を基にして商品画像を変形加工すると共に、この変形された商品画像に対して前記頭部画像を合成するように設定することができる。
【００１９】
次に、前記クライアント・コンピュータが携帯型のデータ通信端末であり、このデータ通信端末の記憶装置は利用者の身体所要箇所の実測値を記録しており、このデータ通信端末の処理装置はこの実測値を記憶装置から読み出しこの実測値に基づいて前記店舗装置から送信されて来た商品画像の変形加工処理を行なうものとすることができる。
【００２０】
すなわちこのコンピュータで仮想的なショッピングを実現する店舗装置とそのクライアント・コンピュータとから成る画像合成システムでは、身体所要箇所の実測値は、データ通信端末の記憶装置の側に記録されており、データ通信端末の処理装置で商品画像の変形加工処理を行なっているため、極めてプライバシー性の高い実測値が、クライアント・コンピュータからネットワーク上へ流出すると言うような問題を生じない。前記店舗装置はあくまでも商品画像をクライアント・コンピュータへ送信するだけである。
【００２１】
次に、前記クライアント・コンピュータが携帯型のデータ通信端末であり、このデータ通信端末の記憶装置は頭部画像を記録しており、このデータ通信端末の処理装置はこの頭部画像を記憶装置から読み出し、この頭部画像を前記店舗装置から送信されて来た商品画像の頭部に合成する合成加工処理を行なうものとすることができる。なお前記頭部画像を利用者本人に付いてのものとすることが可能である。
【００２２】
この店舗装置とそのクライアント・コンピュータとから成る画像合成システムでは、頭部画像はデータ通信端末の記憶装置の側に記録されており、データ通信端末の処理装置でこの頭部画像を商品画像の頭部に合成する合成加工処理を行なっているため、前記身体の実測値と同様に極めてプライバシー性の高い頭部画像がクライアント・コンピュータからネットワーク上へ流出して終うと言うような問題を生じない。店舗装置はあくまでも商品画像をクライアント・コンピュータへ送信するだけだからである。
【００２３】
【発明の実施の形態】
さてこの発明の実施形態を図面を参照しつつ説明するが、この発明はこれ等の実施形態に限定されるものではなく、この発明の思想の範囲内に於いて各種変形を与えることができる。
【００２４】
第１実施形態
図１乃至図５はこの実施形態を説明するための図である。店舗装置１とクライアント・コンピュータたるパーソナル・コンピュータ２とは、各々のプロバイダ９，９０を介してネットワーク・インフラとしてのインターネット７に接続されている。パーソナル・コンピュータ２はプロバイダ９０に対しては、電話局８が提供する通信回線を介して接続され、その使用料は電話局８の課金処理部８０で処理され請求される。店舗装置１は課金処理部１１を備え、パーソナル・コンピュータ２を用いてショッピングを行なった利用者に対して課金処理を行ないこの利用者に請求する（図１）。
【００２５】
前記店舗装置１は、インターネット７に接続するための送受信装置１８と処理装置１０と記憶装置１５とから構成される。処理装置１０はＷＷＷサーバ部１４を備え、パーソナル・コンピュータ２からの要求により前記記憶装置１５のＨＴＭＬ形式の電子カタログ１７を前記送受信装置１８を介してパーソナル・コンピュータ２へ送信する。処理装置１０はまた装置番号取得部１２と認証処理部１３と課金処理部１１とを備える。前記記憶装置１５は商品画像記憶部１６を備えており、電子カタログ１７の一部と成る商品画像が、前記ＷＷＷサーバ部１４から参照される（図２）。
【００２６】
なおこの店舗装置１を利用するパーソナル・コンピュータ２の構成であるが、ＣＰＵ２０，ＲＡＭ２１，ディスプレイ２２，ハードディスク２３，ＭＡＣアドレスが利用されるＬＡＮカード２５，キーボード２４がデータバスに接続されている。これは一般的なパーソナル・コンピュータの構成であり、ハードディスクにインストールされたＷＷＷブラウザを用いて前記店舗装置１にアクセスすることに成っている（図３）。
【００２７】
さて上述のように構成された店舗装置１の処理装置１０は、パーソナル・コンピュータ２からのアクセス要求を受け付け（Ｓｔｅｐ１）、ＬＡＮカード２５のＭＡＣアドレスを取得し（Ｓｔｅｐ２）、このＭＡＣアドレスが既に登録されているものであるか否かの認証処理を行ない（Ｓｔｅｐ３）、認証されている場合にはパーソナル・コンピュータ２に対し電子カタログを送信する（Ｓｔｅｐ４）（図４）。
【００２８】
電子カタログを受信したパーソナル・コンピュータ２側に於て希望の商品画像が選択されたら（Ｓｔｅｐ５）、店舗装置１の処理装置１０は、購入フォームをパーソナル・コンピュータ２に対して送信する（Ｓｔｅｐ６）。更にパーソナル・コンピュータ２側に於いて購入ボタンが押されたら（Ｓｔｅｐ７）、処理装置１０は課金処理を行なう（Ｓｔｅｐ８）（図５）。なお購入フォームは記憶装置１５のＷＷＷページ部１７に電子カタログと共に記録されているものである。
【００２９】
このように前記処理装置１０ではパーソナル・コンピュータ２からのアクセス要求を受けた時に、パーソナル・コンピュータ２のＭＡＣアドレスを用いて認証処理を行なっている点に特徴を有する。
【００３０】
第２実施形態
図６及び図７はこの実施形態を説明する図である。この実施形態の店舗装置はインターネット７に接続するための送受信装置１８と処理装置１０と記憶装置１５とから構成される。処理装置１０はＷＷＷサーバ部１４を備え、パーソナル・コンピュータ２からの要求によって前記記憶装置１５のＨＴＭＬ形式の電子カタログ１７を前記送受信装置１８を介してパーソナル・コンピュータ２へ送信するものである。また前記処理装置１０は、装置番号取得部１２と認証処理部１３と課金処理部１１と、商品画像の変形加工部１９とを備える。前記記憶装置１５は商品画像記憶部１６と身体サイズ記憶部１００を備えており、電子カタログ１７の一部と成る商品画像を格納した商品画像記憶部１６が前記ＷＷＷサーバ部１４から参照される（図６）。なお、クライアント・コンピュータたるパーソナル・コンピュータ２に付いては第１実施形態で説明した通りである。
【００３１】
さて電子カタログを受信したパーソナル・コンピュータ２側に於て希望の商品画像が選択されたら（Ｓｔｅｐ９）、前記店舗装置１の処理装置１０はこのパーソナル・コンピュータ２のＭＡＣアドレスに対応する（この利用者に対応する）身体サイズデータ（利用者の身体所要箇所の実測値）を身体サイズ記憶部１００から取得し（Ｓｔｅｐ１０）、この値に基づいて処理装置１０は前記選択された商品画像の変形加工処理を行ない（Ｓｔｅｐ１１）、加工結果の商品画像をパーソナル・コンピュータ２に対して送信する（Ｓｔｅｐ１２）。
【００３２】
このように前記処理装置１０は、上記Ｓｔｅｐ１１に於いて、選択された商品画像を利用者の身体の形に合わせる加工処理を行なっている点に特徴を有するものである。
【００３３】
第３実施形態
図８乃至図１０はこの実施形態を説明する図である。店舗装置１と携帯電話機３（クライアント・コンピュータである）とは各々のプロバイダ９，８２を介してネットワーク・インフラとしてのインターネット７に接続されている。ここではプロバイダ８２は電話局８が運営しているものである。携帯電話機３は無線で基地局８１から電話局８を介してプロバイダ８２に接続され、その使用料は電話局８の課金処理部８０で処理され請求される。また店舗装置１は課金処理部１１を備え、携帯電話機３を用いてショッピングを行なった利用者に対する課金処理をこの課金処理部１１を介して電話局８側の課金処理部８０に依頼し、この利用者に請求するように構成されている（図８）。
【００３４】
この実施形態の店舗装置はインターネット７に接続するための送受信装置１８と処理装置１０と記憶装置１５とから構成される。処理装置１０はＷＷＷサーバ部１４を備え、携帯電話機３（上述したいわゆるブラウザ・フォンである）からの要求によって前記記憶装置１５のＨＴＭＬ形式の電子カタログ１７を前記送受信装置１８を介して携帯電話機３へ送信するものである。また前記処理装置１０は装置番号取得部１２と認証処理部１３と課金処理部１１と、頭部画像の合成加工部１０１とを備える。前記記憶装置１５は商品画像記憶部１６と頭部画像記憶部１０２とを備えており、電子カタログ１７の一部と成る商品画像を格納した商品画像記憶部１６が前記ＷＷＷサーバ部１４から参照される（図９）。
【００３５】
さて電子カタログを受信した携帯電話機３側に於いて希望の商品画像が選択されたら（Ｓｔｅｐ１３）、前記店舗装置１の処理装置１０はこの携帯電話機３に対応する（この利用者に対応する）頭部画像を頭部画像記憶部１０２から取得し（Ｓｔｅｐ１４）、この頭部画像を前記選択された商品画像の頭部に対して合成加工処理を行ない（Ｓｔｅｐ１５）、この加工画像を携帯電話機３に対して送信する（Ｓｔｅｐ１６）（図１０）。携帯電話機３に対応する頭部画像の読み出しには、この携帯電話機３に一意に割り振られた装置番号が用いられる。
【００３６】
このように前記処理装置１０は、上記Ｓｔｅｐ１４に於いて、携帯電話機３の装置番号に対応する利用者の頭部画像を頭部画像記憶部１０２から読み出している点、Ｓｔｅｐ１５に於いて、選択された商品画像の頭部に利用者の頭部画像を合成加工して、恰かもこの利用者が着用しているように見せる点、またもしこの商品に付いての販売処理が行なわれた場合には、この商品代金の請求を電話局８側の課金処理部８０に依頼して、携帯電話機３の使用料と共に利用者に請求してもらう点に特徴を有するものである。
【００３７】
第４実施形態
図１１はこの実施形態を説明する、携帯電話機（上述したいわゆるブラウザ・フォンである）のディスプレイ３０を表わす図である。加工処理が施された画像４には利用者の身体に合わせられて恰かもあつらえたかのような形状の商品画像４０が表示されており、更にその頭部には利用者の頭部画像４１が合成表示されている（試着室の鏡を見ている状態）。
【００３８】
またディスプレイ３０にはクリッカブルな注文ボタン４２と電話ボタン４３とが表示されている。利用者によって注文ボタン４２が押されたら図示しない店舗装置１がが注文フォームをこの携帯電話機に送信する。注文ボタン４２はいわゆるｐｈｏｎｅｔｏタグなどで記述されており、これが押されたらこの店舗のオペレータに電話回線で通話可能に繋がるように成っている。
【００３９】
上述したような動作が携帯電話機側で可能となるように店舗装置が構成されている。
【００４０】
第５実施形態
図１２はこの実施形態を説明する図である。店舗装置５は電話局８に収容されており、電話局がこの店舗を運営している。また電話局８の課金処理部８０は、商品代金の請求を携帯電話機３の使用料と共に利用者に請求する。図中符号８１はこの電話局８の基地局の一つを表わす。
【００４１】
而して店舗装置５による携帯電話機３の認証には（利用者の本人確認には）、携帯電話機３に割り振られた電話番号を電話局８から受けて利用している。
【００４２】
第６実施形態
図１３はこの実施形態の画像合成システムの携帯電話機側の構成を説明する図である。携帯電話機としての通信装置３１以外に、身体サイズ記憶部６３を有する記憶装置６２と変形加工部６０を有する処理装置６とが設けられている。
【００４３】
店舗装置から受信した商品画像を、記憶装置６２の身体サイズ記憶部６３から読み出した身体サイズデータに基づいて、処理装置６の変形加工部６０にて変形加工処理を行ない、加工結果の商品画像をディスプレイに表示する。従ってこの実施形態の特徴は、プライバシー性の高い利用者の身体サイズデータを携帯電話機外に出さない点にある。
【００４４】
第７実施形態
図１４はこの実施形態の画像合成システムの携帯電話機側の構成を説明する図である。携帯電話機としての通信装置３１以外に、身体サイズ記憶部６３と頭部画像記憶部６４とを有する記憶装置６２と、変形・合成加工部６１を有する処理装置６とが設けられている。
【００４５】
店舗装置から受信した商品画像を、記憶装置６２の身体サイズ記憶部６３から読み出した身体サイズデータに基づいて、処理装置６の変形加工部６０にて変形加工処理を行なうと共に、この商品画像の頭部に記憶装置６２の頭部画像記憶部６４から読み出した利用者の頭部画像を合成加工処理を行ない、変形・合成加工結果の商品画像をディスプレイに表示する。従ってこの実施形態の特徴は、プライバシー性の高い利用者の身体サイズデータ及び頭部画像を携帯電話機外に出さない点にある。
【００４６】
なおクライアント・コンピュータに携帯電話機を選択した場合には、利用者はいつどこででもこの発明のオンライン・ショッピングのサービスを受けることができる。携帯電話機にはＰＨＳ（Ｐｅｒｓｏｎａｌ  Ｈａｎｄｙｐｈｏｎｅ  Ｓｙｓｔｅｍ）を含み、また電話回線などを利用する無線通信カードを含む。従ってこのような無線通信カードを装着したＰＤＡ（Ｐｅｒｓｏｎａｌ  Ｄｉｇｉｔａｌ  Ａｓｓｉｓｔａｎｃｅ）などによってもこの発明のオンライン・ショッピングのサービスを受けることが可能である。
【００４７】
また装置番号に関して、例えば携帯電話機にカード・スロットが設けられており、ここにＩＣ（Ｉｎｔｅｇｒａｔｅｄ  Ｃｉｒｃｕｉｔ）カード等のカード状の決済可能手段が挿入されている場合には、この決済可能手段に固有に割り振られた装置番号を用いて認証処理を行なうようにすることも可能である。
【００４８】
また商品画像の頭部に頭部画像を合成加工処理する場合、頭部画像には利用者本人の物以外に家族、親戚、友人などの頭部画像を合成するようにしてもよい。これは衣類などを扱っている場合に、友人の場合には似合っているかなどを友人と共に確かめて見たり、家族へのプレゼントに際して恰かも家族に試着してもらっているかのようにして確認することができるからである。また有名人に付いて同様の試着を行なえば、テレビなどで見た衣類と合わせて状況を再現することが可能と成る。
【００４９】
【発明の効果】
このようにこの発明では、クライアント・コンピュータに商品画像を送信する送信装置と、クライアント・コンピュータからの商品購入のコマンドを受信する受信装置と、このコマンドに基づいて商品販売の事務処理を行なう処理装置とから成り、前記処理装置はクライアント・コンピュータに固有に割り振られた装置番号を用いて認証処理を行なう店舗装置を提供した。またこのような店舗装置とクライアント・コンピュータとから成る画像合成システムでは、商品画像の変形加工処理や合成加工処理をすべてクライアント・コンピュータの側で行なうものとした。
【００５０】
こうしてサービスの提供開始時にまたは購入要求の受付時に、利用者からパスワード等の入力をしてもらわずとも本人確認を行なうことができるように成り、利用者に円滑なオンライン・ショッピングを楽しんでもらうことができると言う効果を奏して所期目的を達成している。
【００５１】
なお商品画像の変形加工処理や合成加工処理をクライアント・コンピュータの側で行なう画像合成システムによれば、身体の実測値や頭部画像などのデータの秘匿性が高まると言う効果を奏する。
【図面の簡単な説明】
【図１】第１実施形態のシステム構成図である。
【図２】店舗装置１のブロック図である。
【図３】パーソナル・コンピュータのブロック図である。
【図４】認証処理の工程図である。
【図５】課金処理の工程図である。
【図６】第２実施形態の店舗装置１のブロック図である。
【図７】商品画像の変形加工処理の工程図である。
【図８】第３実施形態のシステム構成図である。
【図９】店舗装置１のブロック図である。
【図１０】頭部画像の合成加工処理の工程図である。
【図１１】第４実施形態の携帯電話機のディスプレイ３０を表わす図である。
【図１２】第５実施形態の店舗装置５のブロック図である。
【図１３】第６実施形態の携帯電話機のブロック図である。
【図１４】第７実施形態の携帯電話機のブロック図である。
【符号の説明】
１    店舗装置
１０  処理装置
１１  課金処理部
１２  装置番号取得部
１３  認証処理部
１４  ＷＷＷサーバ部
１５  記憶装置
１６  商品画像記憶部
１７  電子カタログ
１８  送受信装置
１９  変形加工部
１００  身体サイズ記憶部
１０１  合成加工部
１０２  頭部画像記憶部
２    パーソナル・コンピュータ
２０  ＣＰＵ
２１  ＲＡＭ
２２  ディスプレイ
２３  ハードディスク
２４  キーボード
２５  ＬＡＮカード
３    携帯電話機
３０  ディスプレイ
３１  通信装置
４    加工処理画像
４０  商品画像
４１  頭部画像
４２  注文ボタン
４３  電話ボタン
５    店舗装置
６    処理装置
６０  変形加工部
６１  変形・合成加工部
６２  記憶装置
６３  身体サイズ記憶部
６４  頭部画像記憶部
７    インターネット
８    電話局
８０  課金処理部
８１  基地局
８２  プロバイダ
９    プロバイダ
９０  プロバイダ
【図１】
2004302910.tif 000003
【図２】
2004302910.tif 000004
【図３】
2004302910.tif 000005
【図４】
2004302910.tif 000006
【図５】
2004302910.tif 000007
【図６】
2004302910.tif 000008
【図７】
2004302910.tif 000009
【図８】
2004302910.tif 000010
【図９】
2004302910.tif 000011
【図１０】
2004302910.tif 000012
【図１１】
2004302910.tif 000013
【図１２】
2004302910.tif 000014
【図１３】
2004302910.tif 000015
【図１４】
2004302910.tif 000016